(57)【特許請求の範囲】
【請求項１】
建物躯体と畳との間の隙間に形成される畳寄せであって、
建物躯体としての枠部材の側面に固定可能な枠部材固定手段と、
建物躯体としての壁の表面に固定可能な壁固定手段とを備え、
枠部材固定手段は、長手方向に沿う側面の一方側に位置して、畳の端面と当接する平面状の当接平面部と、長手方向に沿う側面の他方側に位置して、枠部材側に向かって突出して枠部材の凹状の溝に係合する凸状係合部とを備え、
壁固定手段は、長手方向に沿う側面の他方側に位置して、畳寄せの上面から横方向に延びて畳の端面と当接する当接片と、壁に畳寄せを固定するための締結部材を差し込み可能な締結用溝部とを備え、前記当接平面部を建物躯体の壁の表面に当接させて、前記締結用溝部から差し込んだ締結部材により壁表面に固定可能に形成され、
畳寄せは、枠部材固定手段と壁固定手段とのいずれか一方を選択することにより、枠部材及び壁のいずれにも取付可能に形成されていることを特徴とする畳寄せ。
【請求項２】
凸状係合部は、その側面に縦断面形状が鋸歯状の凹凸部と、この凸状係合部のほぼ中央に長手方向に沿って凸状係合部を分離独立させた分離溝とを備えたことを特徴とする請求項１記載の畳寄せ。
【請求項３】
畳寄せは、樹脂を押出成形することにより得られる長尺状の押出成形品であって、少なくともその表面には木目模様を形成していることを特徴とする請求項１または請求項２記載の畳寄せ。
【請求項４】
畳寄せは、樹脂と微粒子の木粉とを主材とする組成物よりなることを特徴とする請求項１、請求項２または請求項３記載の畳寄せ。
【発明の詳細な説明】
【０００１】
【発明の属する技術分野】
この発明は、壁及び畳の間、若しくは開口部の化粧枠と畳との間に形成する畳寄せに関する。
【０００２】
【先行技術】
図５は、従来の畳寄せを使用した畳周辺の概略模式図を示すものである。
従来の畳寄せ110は、図５に示すように、壁140の表面と畳130との接合面に隙間が生じないように取り付ける横材であって、木質からなる角材により形成されているものであった。すなわち、畳130の端面が直線状に形成されているのに対して、その取付対象となる建物躯体側の形状は、壁140の表面から柱120が室内側に僅かに突出しているため、畳130と壁140との間に隙間が生じ、その隙間を埋めるために畳寄せ110がはめ込まれていた。そして、その畳寄せ110の断面形状の幅寸法は、柱120が壁140表面から突出する長さに合わせて設定されていた。
【０００３】
一方、特に図示しないが、建物の開口部の下面に形成される敷居や、床框等の側縁と畳130との間に畳寄せ110が形成される場合があったが、これらの畳寄せ110は、取り付ける対象が壁140の場合と異なっているため、各取付位置に合わせた断面形状のものを別途、それぞれ用意して形成されていた。
【０００４】
【発明が解決しようとする課題】
しかし、上記した従来の畳寄せは、取付対象が壁のような平面状の場合と、床框や敷居の側面の場合とで、各取付対象に合わせた畳寄せを形成しなければならず、大変、手間であるという問題点があった。
そこで、請求項１記載の発明は、上記した従来の技術の有する問題点に鑑みてなされたものであり、その目的とするところは、枠部材の側面と、壁の表面とのいずれにも取り付けることができて、部品数の低減を図ることができる畳寄せを提供しようとするものである。
【０００５】
さらに、この請求項１記載の発明は、簡易な構造によって、枠部材の側面に取付可能であるとともに、建物躯体の壁の表面にも取付可能である畳寄せを提供しようとするものである。
【０００６】
これに加え、請求項２記載の発明は、凸状係合部を具体的に特定したもので、枠部材の側面に容易に取付可能な畳寄せを提供しようとするものである。
これに加え、請求項３記載の発明は、長手方向に同一断面形状を有し、任意の長さのものを簡単に得ることができるとともに、表面に木目模様が形成されて外観が良好な畳寄せを提供しようとするものである。
【０００７】
これに加え、請求項４記載の発明は、素材感が木そのものであり、表面を手で触った際、良好な手触り感が得られるとともに、均一性、耐水性に優れた畳寄せを提供しようとするものである。
【０００８】
【課題を解決するための手段】
本発明は、上記した目的を達成するためのものである。
請求項１記載の発明は、建物躯体と畳(11)との間の隙間に形成される畳寄せ(10)であって、建物躯体としての枠部材(20)の側面に固定可能な枠部材固定手段(50)と、建物躯体としての壁(12)の表面に固定可能な壁固定手段(60)とを備え、枠部材固定手段(50)は、長手方向に沿う側面の一方側に位置して、畳(11)の端面と当接する平面状の当接平面部(51)と、長手方向に沿う側面の他方側に位置して、枠部材(20)側に向かって突出して枠部材(20)の凹状の溝に係合する凸状係合部(52)とを備え、壁固定手段(60)は、長手方向に沿う側面の他方側に位置して、畳寄せ(10)の上面から横方向に延びて畳(11)の端面と当接する当接片(61)と、壁(12)に畳寄せ(10)を固定するための締結部材(63)を差し込み可能な締結用溝部(62)とを備え、前記当接平面部(51)を建物躯体の壁(12)の表面に当接させて、前記締結用溝部(62)から差し込んだ締結部材(63)により壁(12)表面に固定可能に形成され、畳寄せ(10)は、枠部材固定手段(50)と壁固定手段(60)とのいずれか一方を選択することにより、枠部材(20)及び壁(12)のいずれにも取付可能に形成されていることを特徴とする。
【０００９】
なお、ここで、枠部材固定手段(50)及び壁固定手段(60)は、それぞれ取付対象に固定することができるものであれば良いものであって、例えば、ネジ等の締結部材(63)により、固定したり、或いは、凹状の凹部と、この凹部にはめ込み可能な凸状の凸部とからなるような係合手段を有するようなものであっても良いものである。
そして、枠部材固定手段(50)は、畳寄せ(10)の取付対象となる建物躯体が枠部材(20)である場合に、畳寄せ(10)を枠部材(20)に取り付けるものである。そして、壁固定手段(60)は、畳寄せ(10)の取付対象となる建物躯体が壁(12)である場合に、畳寄せ(10)を壁(12)に取り付けるものである。
【００１０】
また、ここで、枠部材(20)とは、建物躯体の壁(12)に開口する開口部の開口枠に位置して、開口面の室内側表面を化粧するとともに、開口部の内部の引違い戸を保持可能な敷居(30)からなるようなものを含むものである。さらに、枠部材(20)は、畳(11)に隣接する床の端に取り付けられる横材である床框を含むものである。
さらに、ここで、「当接片(61)」が「畳寄せ(10)の上面から横方向に延びて」いるが、この「上面」とは、畳寄せ(10)を壁(12)に取り付ける場合の畳寄せ(10)の上面を意味するものである。
【００１１】
上述したような請求項１記載の発明によれば、枠部材(20)の側面に固定可能な枠部材固定手段(50)と、壁(12)の表面に固定可能な壁固定手段(60)とを備え、いずれか一方を選択して取り付けることができるため、取付対象が、枠部材(20)であっても、壁(12)の表面であっても、いずれの場合にも同一部材を使用して取り付けることができる。これにより、取付対象が異なっても、それぞれ専用の畳寄せ(83)を用意する必要がなく、部品数を低減することができ、かかる畳寄せ(83)の部品の保存や管理を容易にすることができる。
【００１２】
【００１３】
ここで、上述した畳寄せ(10)の枠部材固定手段(50)は、その長手方向に沿う側面の他方側に凸状係合部(52)を備えている。このため、この凸状係合部(52)を枠部材(20)の凹状の溝（例えば、凹溝状被係合部21）に係合させることにより、畳寄せ(10)を枠部材(20)の側面に固定させることができる。そして、この凸状係合部(52)が形成されている側面の反対側には、当接平面部(51)を備えているため、畳寄せ(10)を枠部材(20)の側面に係合させた状態で、畳(11)の端面と当接させることができる。すなわち、畳寄せ(10)の当接平面部(51)が畳(11)の端面に当接し、畳寄せ(10)の凸状係合部(52)が枠部材(20)の側面にはめ込まれて固定されるため、畳(11)の端面と、枠部材(20)の側面との間に畳寄せ(10)を介在させることができる。これにより、畳(11)の端面と、枠部材(20)の側面との間の隙間を畳寄せ(10)により埋めることができる。
【００１４】
【００１５】
また、上述した畳寄せ(10)の壁固定手段(60)が、長手方向に沿う側面の他方側に締結部材(63)を差し込み可能な締結用溝部(62)を備えている。このため、この締結用溝部(62)から締結部材(63)を差し込むことにより、この締結部材(63)を介して、畳寄せ(10)を壁(12)に固定させることができる。その際、締結用溝部(62)の反対側の当接平面部(51)を壁(12)の表面に当接させることができ、壁(12)の表面と隙間無く密着して当接した状態で、固定することができて、畳寄せ(10)を確実に固定することができる。そして、当接片(61)が畳(11)の端面と当接することにより、畳(11)の端面と壁(12)との間に畳寄せ(10)を介在させることができて、畳(11)の端面と壁(12)との間の隙間を畳寄せ(10)により埋めることができる。
【００１６】
なお、畳寄せ(10)の高さ方向の取り付け位置を、畳寄せ(10)の上面が畳(11)の上面と面一になるように設定することにより、両者の上面を段差がないフラットな平面状に設定することができる。
請求項２記載の発明は、上記した請求項１記載の特徴点に加え、凸状係合部(52)は、その側面に縦断面形状が鋸歯状の凹凸部(53)と、この凸状係合部(52)のほぼ中央に長手方向に沿って凸状係合部(52)を分離独立させた分離溝(54)とを備えたことを特徴とする。
【００１７】
このような請求項２記載の発明によれば、凸状係合部(52)の側面に縦断面形状が鋸歯状の凹凸部(53)が形成されているから、凸状係合部(52)を枠部材(20)の凹状の溝(21)に差し込む際、大きな摩擦抵抗が得られ、外れにくいものにすることができる。そして、この凸状係合部(52)のほぼ中央に分離溝(54)を形成したことにより、凸状係合部(52)が中心側に向かって容易に弾性変形し易くなる。凸状係合部(52)が弾性変形することにより、凸状係合部(52)を溝(21)に向かって押し込む際、凸状係合部(52)の幅を小さくすることができ、溝(21)の内部に容易に挿入することができ、現場施工における組立作業を容易にすることができる。
【００１８】
請求項３記載の発明は、上記した請求項１または請求項２記載の特徴点に加え、畳寄せ(10)は、樹脂を押出成形することにより得られる長尺状の押出成形品であって、少なくともその表面には木目模様を形成していることを特徴とする。
なお、ここで、「樹脂」とは、硬質樹脂、軟質樹脂を含み、例えば塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等である。
【００１９】
また、ここで、「少なくともその表面には木目模様を形成」とは、押出成形品を外部から見てその表面には木目模様が現れていれば良いものである。すなわち、押出成形品の表面のみにローラ等により木目模様の印刷を施して表面にのみ木目模様を形成するようなものを含むものである。また、外観色が異なる複数の樹脂を同時に押出することにより、長手方向に木目状の模様が、その内部においてまで形成されるようなものも含むものである。更に、押出成形の押出口の近辺に樹脂の流れを一旦、複数に分割することができるような複数の分割片を通すことにより、木目模様を形成するようなものを含むものである。
【００２０】
このような請求項３記載の発明に係る畳寄せ(10)は、樹脂による押出成形により形成されているため、長手方向に同一断面形状を有するとともに、任意の長さの長尺材を簡単に得ることができる。これにより、畳(11)の寸法や、建物躯体の寸法が変化しても、種々の長さの畳寄せ(10)を容易に準備することができ、畳寄せ(10)として好適なものである。
【００２１】
また、この畳寄せ(10)は、樹脂からなるため、木質のものと比較して吸水性が小さく、反り等の変形も抑えることができる。そして、この畳寄せ(10)は、少なくともその表面に木目模様が形成されているため、畳(11)を配置する室内の木質からなる周囲部材（例えば、柱や、床框等）と外観を調和させることができる。
請求項４記載の発明は、上記した請求項１、請求項２または請求項３記載の特徴点に加え、畳寄せ(10)は、樹脂と微粒子の木粉とを主材とする組成物よりなることを特徴とする。
【００２２】
なお、ここで「微粒子の木粉」とは天然木材のほか、おがくず等を粉砕により、微粉状の粒子に形成しているものを含むものである。
このような請求項４記載の発明によれば、畳寄せ(10)に木粉が含まれているため、畳寄せ(10)の表面を手で触った感触が、木質感のあるものとなり、樹脂や塩化ビニル等の表面のツルッとした感触がなく、手にしっくりとなじむ良好な手触り感を得ることができる。
【００２３】
また、畳寄せ(10)は、上述した材料から形成され、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
なお、ここで「樹脂」とは、請求項３において、説明したものと同様のものを含むものである。
【００２４】
【００２５】
【００２６】
【００２７】
【００２８】
【００２９】
【００３０】
【発明の実施の形態】
以下、本発明の実施の形態を図面に基づいて、更に詳しく説明する。
図１乃至図３は、本発明の第一の実施の形態を示すものであり、図１は枠部材に固定した畳寄せの縦断面図、図２は畳寄せの縦断面図、図３は枠部材の縦断面図をそれぞれ示す。
【００３１】
まず、本実施の形態の構成について説明する。
本実施の形態に係る畳寄せ10は、和室13と押入14との間に形成される開口部15の枠部材20と畳11との間に形成されているものである。この枠部材20は、引戸16の上端を案内する鴨居40と、引戸16の下端を案内する敷居30とからなるものであって、この畳寄せ10は、敷居30と畳11との間に形成されているものである。この敷居30は、縦断面形状がほぼコ字状であって、開口部15を仕切るための引戸16の下端を案内するための引戸用案内溝31を有するものである。
なお、敷居30の引戸用案内溝31の内部には、その深さを調整するために溝深さ調整部材32がはめ込まれ、この敷居30の本体部分は、開口部15の上部に固定される鴨居40としても使用できるように形成されているものである。
【００３２】
そして、この敷居30は、和室13側の側面に和室13側に向かって凹溝状に開口する凹溝状被係合部21が形成されている。この凹溝状被係合部21の上面及び下面には、畳寄せ10を係合するための縦断面形状が鋸歯状の側面凹凸部22が形成されている。
前記畳寄せ10は、内部に中空部55を有する四角筒状の長尺状の部材として形成されているものであって、前記敷居30の凹溝状被係合部21に係合されて、畳11の端面と敷居30の側面との間の隙間を埋めているものである。具体的には、前記畳寄せ10は、枠部材20である敷居30の和室13側の側面に固定可能な枠部材固定手段50を備えているものである。この枠部材固定手段50は、長手方向に沿う側面のうち和室13側の側面に位置して、畳11の端面と当接する平面状の当接平面部51と、長手方向に沿う側面のうち敷居30側に位置して、敷居30側に向かって突出して枠部材20の凹溝状被係合部21に係合する凸状係合部52とを備えている。
【００３３】
この凸状係合部52は、その側面に縦断面形状が鋸歯状の凹凸部53と、この凸状係合部52のほぼ中央に長手方向に沿って凸状係合部52を分離独立させた分離溝54とを備えている。そして、本実施の形態に係る畳寄せ10は、樹脂と微粒子の木粉とを主材とする組成物よりなるものであって、押出成形により形成されているものである。
【００３４】
次に、上記した実施の形態の作用及び効果について説明する。
本実施の形態に係る畳寄せ10は、枠部材20の側面に固定可能な枠部材固定手段50を備えているため、枠部材20の側面に固定することができる。具体的には、この枠部材固定手段50は、その長手方向に沿う側面のうち和室13側に凸状係合部52を備えている。このため、この凸状係合部52を枠部材20の凹状の凹溝状被係合部21に係合させることにより、畳寄せ10を枠部材20の側面に固定させることができる。
【００３５】
そして、凸状係合部52は、その側面に縦断面形状が鋸歯状の凹凸部53が形成されている。また、凹溝状被係合部21の内部にも同様の側面凹凸部22が形成されている。これにより、凸状係合部52を凹溝状被係合部21に差し込む際、大きな摩擦抵抗が得られ、外れにくいものにすることができる。
また、凹凸部53や側面凹凸部22が形成されている範囲内においては、噛み合い位置を自由に設定することができるため、両者の係合位置の微調整を図ることができる。そして、この凸状係合部52のほぼ中央に分離溝54を形成したことにより、凸状係合部52が中心側に向かって容易に弾性変形し易くなる。これにより、凸状係合部52を凹溝状被係合部21に向かって押し込む際、凸状係合部52が弾性変形して、凹溝状被係合部21の内部に容易に挿入することができ、現場施工における組立作業を容易にすることができる。
【００３６】
そして、この凸状係合部52が形成されている面の裏面側には、当接平面部51を備えているため、畳寄せ10を枠部材20の側面に係合させた状態で、当接平面部51を畳11の端面に当接させることにより、両者を隙間無く密着させることができる。
これにより、畳11の端面と、敷居30の和室13側の側面との間に畳寄せ10を介在させることができ、畳11の端面と、枠部材20の側面との間の隙間を畳寄せ10により埋めることができる。
【００３７】
本実施の形態は、畳寄せ10に木粉が含まれているため、畳寄せ10の表面を手で触った感触が、木質感のあるものとなり、樹脂や塩化ビニル等の表面のツルッとした感触がなく、手にしっくりとなじむ良好な手触り感を得ることができる。
また、畳寄せ10は、上述した材料から形成され、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
【００３８】
次に、第二の実施の形態について説明する。
図４は、本発明の第二の実施の形態であって、畳寄せを壁の表面に取り付けた状態の縦断面図を示すものである。
本実施の形態は、建物躯体の和室13の壁12の表面と、畳11との間に形成される隙間に形成したものである。そして、この畳寄せ10は、第一の実施の形態で使用した畳寄せ10と同一形状のものを上下に反転させて使用しているものである。そして、この畳寄せ10は、建物躯体としての和室13の壁の表面に固定可能な壁固定手段60を備えている。
【００３９】
この壁固定手段60は、長手方向に沿う側面のうち畳11側に位置して、横方向に延びて畳11の端面と当接する当接片61と、壁に畳寄せ10を固定するための締結部材63を差し込み可能な締結用溝部62とを備えている。そして、この畳寄せ10は、当接平面部51を建物躯体の壁12の表面に当接させて、締結用溝部62から差し込んだ締結部材63により壁12の表面に固定されている。
【００４０】
上述した第一及び第二の実施の形態で示したように、この畳寄せ10は、枠部材20の側面に固定可能な枠部材固定手段50と、壁12の表面に固定可能な壁固定手段60とを備えており、これらの枠部材固定手段50と壁固定手段60とのいずれか一方を選択することにより、枠部材20及び壁のいずれにも取付可能に形成されているものである。
【００４１】
なお、第一の実施の形態で説明したものと同様の構成や、周辺部材等には、第一の実施の形態における部品番号と同一の部品番号を付与して説明を省略する。
次に、上記した実施の形態の作用及び効果について説明する。
本実施の形態に係る畳寄せ10は、その壁固定手段60が、長手方向に沿う側面のうち畳11側の方に締結部材63を差し込み可能な締結用溝部62を備えている。このため、この締結用溝部62から締結部材63を差し込んで、壁12に固定させることができる。その際、締結用溝部62の反対側の平面状の当接平面部51を壁12の表面に当接させることができ、壁12の表面と隙間無く密着して当接した状態で、固定することができて、両者を確実に固定することができる。そして、畳寄せ10の上面から横方向に延びる当接片61が畳11の端面と当接することにより、畳11の端面と壁12との間に畳寄せ10を介在させることができて、畳11の端面と壁12との間の隙間を畳寄せ10により埋めることができる。さらに、当接片61の上面が、畳11の上面と面一になるように畳寄せ10の高さ方向の取付位置を設定することにより、畳寄せ10と畳11との間をフラットに形成することができる。
【００４２】
上述したように第一及び第二の実施の形態に係る畳寄せ10は、同一形状の同一部材のものを使用しているが、敷居30の側面に固定可能な枠部材固定手段50と、壁20の表面に固定可能な壁固定手段60とを備え、いずれか一方を選択して取り付けることができる。このため、取付対象が、敷居30のような枠部材20であっても、壁20の表面であっても、いずれの場合にも同一部材の畳寄せ10を使用して取り付けることができる。これにより、取付対象が異なっても、それぞれ専用の畳寄せ83を用意する必要がなく、部品数を低減することができ、かかる畳寄せ83の部品の保存や管理を容易にすることができる。
【００４３】
なお、ここで、第一及び第二の実施の形態において、畳寄せ10の材質は、樹脂と微粒子の木粉とを主材とするものであったが、材質は、特に、これに限定されるものではなく、他の樹脂のみからなるものでも良いものである。
さらに、この畳寄せ10の材質として、セルロース系材料の微粉末の表面にこの微粉末よりも小径で、かつ硬い微粉末を担持させて作成した粉体を混合した樹脂を着色成形することによって木目模様を呈するように形成したものでも良い。この畳寄せ10は、上述したような材質から形成することにより、その表面に木目模様を出すことができる。
また、木質材料では原料となる天然木材の違いや、含有水分の違い等による品質のバラツキが発生するが上述したような材質からなる畳寄せ10ではそのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。
換言すれば、天然の木材を切削加工したのでは手間がかかるような断面形状の部材であっても、木目模様を呈する成形品として提供することができる。そして、粉体を混合した樹脂からなるため、通常の木質材料よりも水分を吸収し難く、仮に水分が付着しても水分を拭き取れば済み、メンテナンスを容易にすることができるものである。すなわち、手垢等の汚れがこの化粧材の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強い畳寄せ10を提供できるものである。
また、この畳寄せ10は、樹脂自体を着色しているため、表面のみではなく、内部にまで木目模様を呈するように形成しているものである。これにより、畳寄せ10の表面が磨耗しても表面の木目模様が消えることがなく、良好な木目模様の外観を維持することができる。
【００４４】
【発明の効果】
本発明は、以上のように構成されているので、以下に記載されるような効果を奏する。
請求項１記載の発明によれば、枠部材の側面と、壁の表面とのいずれにも取り付けることができて、部品数の低減を図ることができる畳寄せを提供することができる。
【００４５】
さらに、この請求項１記載の発明によれば、簡易な構造で枠部材の側面に取付可能であるとともに、建物躯体の壁の表面にも取付可能である畳寄せを提供することができる。
請求項２記載の発明によれば、枠部材の側面に容易に取付可能な畳寄せを提供することができる。
【００４６】
請求項３記載の発明によれば、長手方向に同一断面形状を有し、任意の長さのものを簡単に得ることができるとともに、表面に木目模様が形成されて外観が良好な畳寄せを提供することができる。
請求項４記載の発明によれば、素材感が木そのものであり、表面を手で触った際、良好な手触り感が得られるとともに、均一性、耐水性に優れた畳寄せを提供することができる。
【００４７】
【図面の簡単な説明】
【図１】  本発明の第一の実施の形態であって、枠部材に固定した畳寄せを示す縦断面図である。
【図２】  本発明の第一の実施の形態であって、畳寄せを示す縦断面図である。
【図３】  本発明の第一の実施の形態であって、枠部材を示す縦断面図である。
【図４】  本発明の第二の実施の形態であって、畳寄せを壁の表面に取り付けた状態を示す縦断面図である。
【図５】  従来の畳寄せを使用した畳周辺を示す概略模式図である。
【符号の説明】
10…畳寄せ、11…畳、12…壁、13…和室、14…押入、15…開口部、16…引戸、20…枠部材、21…凹溝状被係合部、22…側面凹凸部、30…敷居、31…引戸用案内溝、32…溝深さ調整部材、40…鴨居、50…枠部材固定手段、51…当接平面部、52…凸状係合部、53…凹凸部、54…分離溝、55…中空部、60…壁固定手段、61…当接片、62…締結用溝部、63…締結部材。
【図１】
0003827036.tif 000002
【図２】
0003827036.tif 000003
【図３】
0003827036.tif 000004
【図４】
0003827036.tif 000005
【図５】
0003827036.tif 000006